【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
ベースフレームに沿って前後に移動自在となるよう駆動手段を介して摺動フレームを具備し、このベースフレーム及び摺動フレームには起伏機構を介して背受ボトムを具備し、前記ベースフレームには腰受ボトムを取り付け、前記摺動フレームの前後移動に連動して前記ベースフレームに沿って前後に移動するスライドフレーム上に脚受ボトムを具備してなるベッドにおいて、前記摺動フレームの前後移動により前記スライドフレームを連動させる状態と連動させず前記脚受ボトムを保持する状態とに設定可能に姿勢変更切替手段を具備するに、該姿勢変更切替手段を伸縮自在な連動ロッドにピンを挿通し一定長で保持される状態として、前記摺動フレームの前後移動に連動して前記スライドフレームを前後移動可能にする一方で、前記ピンを前記スライドフレームに挿通して該スライドフレームの前後移動を拘束した状態及び前記連動ロッドを伸縮自在な状態となるよう構成したことを特徴とするベッド。
【請求項２】
前記連動ロッドを外側パイプに内側パイプを入れ子状に挿通して構成したことを特徴とする請求項１に記載のベッド。
【手続補正２】
【補正対象書類名】明細書
【補正対象項目名】０００７
【補正方法】変更
【補正の内容】
【０００７】
請求項１の発明では、ベースフレームに沿って前後に移動自在となるよう駆動手段を介して摺動フレームを具備し、このベースフレーム及び摺動フレームには起伏機構を介して背受ボトムを具備し、前記ベースフレームには腰受ボトムを取り付け、前記摺動フレームの前後移動に連動して前記ベースフレームに沿って前後に移動するスライドフレーム上に脚受ボトムを具備してなるベッドにおいて、前記摺動フレームの前後移動により前記スライドフレームを連動させる状態と連動させず前記脚受ボトムを保持する状態とに設定可能に姿勢変更切替手段を具備するに、該姿勢変更切替手段を伸縮自在な連動ロッドにピンを挿通し一定長で保持される状態として、前記摺動フレームの前後移動に連動して前記スライドフレームを前後移動可能にする一方で、前記ピンを前記スライドフレームに挿通して該スライドフレームの前後移動を拘束した状態及び前記連動ロッドを伸縮自在な状態となるよう構成したことを特徴とする。
請求項２の発明では、前記連動ロッドを外側パイプに内側パイプを入れ子状に挿通して構成したことを特徴とする。
【手続補正３】
【補正対象書類名】明細書
【補正対象項目名】０００８
【補正方法】変更
【補正の内容】
【０００８】
まず、請求項１の発明では、ベースフレームには前後移動自在な摺動フレームが具備されている。この摺動フレームは駆動手段により前後移動するものである。そして、この摺動フレームとベースフレーム間には起伏機構を介して背受ボトムが取り付けられる。そのため、摺動フレームの前後移動により背受ボトムの起伏動作は行われる。また、ベースフレームには腰受ボトムが取り付けられている。さらに、摺動フレームの前後移動に連動して腰受ボトム下方に移動可能なスライドフレームを設け、このスライドフレーム上に脚受ボトムを配する。したがって、通常の動作を行った際には、背受ボトムと腰受ボトム及び脚受ボトムが略同一平面をなす平滑な状態から、背受ボトムは起立し脚受ボトムは腰受ボトムの下方に収納された椅子状態に姿勢変更可能となっている。また、姿勢変更切替手段によって、摺動フレームの前後移動によるスライドフレームの連動移動を解除すると背受ボトムが起立し、足を伸ばした座位姿勢がとられるように構成されている。したがって、ベッド上での療養が快適に行われるとともに、椅子状態では立ち上がり易いのでより使用環境が広がるものである。そして、前記姿勢変更切替手段を伸縮自在な連動ロッドとして構成して、ピンの抜き挿しにより一定長で保持される状態と伸縮自在な状態とに切替可能としている。したがって、姿勢変更切替手段の構成が非常に簡単にできており、構成が簡単であるので、故障にもつながりにくいものとなっている。
【手続補正４】
【補正対象書類名】明細書
【補正対象項目名】００１４
【補正方法】変更
【補正の内容】
【００１４】
続いて、摺動フレーム３について第３図に基づいて説明する。
この摺動フレーム３は、正面視において略コ字形状のレール３８，３８を有し、このレール３８，３８の開放側がそれぞれ外側を向く状態で所定間隔をおいてそれぞれの後部
と中間部に補強部材３９と連結パイプ４０が固着されている。さらに、前記レール３８，３８の前部上面に側面視において略山形形状の揺動カム４１，４１がそれぞれ固着され、該揺動カム４１，４１の前部間に補強部材４２が固着されている。また、前記レール３８，３８の前部内側面には所定の位置に鍔付きの第一固定ピン４３と第二固定ピン４４が内側へ突出する状態で固着されたガイドプレート４５，４５が固着されている。さらに、前記ガイドプレート４５，４５の第一固定ピン４３，４３後方上部には空孔部４５ａ，４５ａが穿たれ、該空孔部４５ａ，４５ａの軸心上に軸心を有する空孔部４１ａ，４１ａが前記揺動カム４１，４１にそれぞれ穿たれている。また、前記連結パイプ４０中間部には後述する駆動手段４を組み付けるための取付具４６が固着されている。
【手続補正５】
【補正対象書類名】明細書
【補正対象項目名】００２０
【補正方法】変更
【補正の内容】
【００２０】
このように構成された起伏機構６の各部材は次のようにして前記摺動フレーム３及びベースフレーム２に組み付けられる。
まず、第５図に示すように、増幅リンク５５の増幅プレート５８，５８に設けた係止溝５８ａ，５８ａに前記摺動フレーム３のガイドプレート４５，４５に固着した第一固定ピン４３，４３を通すようにして、増幅プレート５８，５８を引っ掛ける。そして、前記第一固定ピン４３，４３を中心に幾らか増幅リンク５５，５５の前部側を下方回動させて、前記フック部５８ｂ，５８ｂ先端を前記ガイドプレート４５，４５と第二固定ピン４４，４４の鍔部間に挿通させて増幅リンク５５を組み付ける。次に、第６図に示すように、背受ボトム７に固着した回動リンク５６の回動プレート６２，６２に設けたそれぞれの係止溝６２ａ，６２ａを前記増幅リンク５５に固着した固定ピン６０，６０に通すように回動リンク５６を組み付ける。そして、第７図に示すように、前記摺動フレーム３の揺動カム４１，４１とガイドプレート４５，４５のそれぞれに設けた空孔部４１ａ，４１ａ，４５ａ，４５ａと回動プレート６２，６２に設けた空孔部６２ｂ，６２ｂとに支点ピン６７，６７を連通させて、組み付ける。この状態では、増幅リンク５５が前記第一固定ピン４３，４３を中心に回動したときに、前記増幅プレート５８，５８のフック部５８ｂ，５８ｂ外周が支点ピン６７，６７に当接しながら回動するようにされている。すなわち、増幅リンク５５の増幅プレート５８，５８は前記第二固定ピン４４，４４及び支点ピン６７，６７により抜け止めされた状態で回動するように構成されている。なお、前記支点ピン６７，６７には図示していないが脱落防止用の抜け止めピンが組み付けられる。
そして、第８図に示すように、前記ロッド５７，５７の外側ロッド６５，６５に設けたボス部材６４，６４と背受ボトム７のブラケット５３，５３とを軸ピン６８，６８で枢結させるとともに、内側ロッド６６，６６の端部とベースフレーム２の前側フレーム１０に設けた軸受部材２４，２４とを軸ピン６８，６８で枢結させる。
このようにして、背受ボトム７と起伏機構６の各部材を前記摺動フレーム３とベースフレーム２間に組み付ける。
【手続補正６】
【補正対象書類名】明細書
【補正対象項目名】００２１
【補正方法】変更
【補正の内容】
【００２１】
次に、前記ベースフレーム２に組み付けられる腰受ボトム５について第９図に基づいて説明する。
腰受ボトム５は、平面視において後方側が開放された略コ字形状に曲折された枠パイプ６９の後端部間に連結パイプ７０が固着されている。また、側面視において略ヘ字形状に曲折された支持パイプ７１，７１の後端部が前記連結パイプ７０の後下方へ突出する状態で、該支持パイプ７１，７１を左右方向に所定間隔離間させて固着されている。さらに、前記支持パイプ７１，７１の後端部には同一方向に突出する状態で取付軸７２，７２が固着され、また、前記連結パイプ７０寄りの位置にはローラー７３，７３及び下方への突出量の調節可能な調整具７４，７４が設けられている。また、前記連結パイプ７０の中間部には前記支持パイプ７１，７１間に位置するようにプレート７５が固着されている。さらに、連結パイプ７０と枠パイプ６９内には平面視において略コ字形状に曲折された支持部材７６，７６，・・・が複数個固着されている。
【手続補正７】
【補正対象書類名】明細書
【補正対象項目名】００２５
【補正方法】変更
【補正の内容】
【００２５】
このように構成された脚受ボトム９及び収納手段８は次のようにして前記起伏機構６を介してベースフレーム２と摺動フレーム３間に組み付けられる。
まず、収納手段８は、前記スライドフレーム８３のレール８８，８８内で前記ベースフレーム２の前側フレーム１０に設けたローラー１９，１９，・・・が転動されるように、スライドフレーム８３を前記前側フレーム１０の支持プレート１７，１７間に挿し込むようにして前後摺動自在に組み付ける。そして、連動ロッド８４の後端部を前記起伏機構６の増幅リンク５５に設けた取付具６１にピン９４で枢結させて、収納手段８を起伏機構６及びベースフレーム２に組み付ける。
次に、脚受ボトム９の前記取付軸８１，８１をスライドフレーム８３の軸受プレート９１，９１に枢結させて、脚受ボトム９をスライドフレーム８３に回動可能に組み付ける。
なお、前記取付軸８１，８１及びピン９４には図示していないが脱落防止がなされている。
【手続補正８】
【補正対象書類名】明細書
【補正対象項目名】００２７
【補正方法】変更
【補正の内容】
【００２７】
続いて、このベッドＢの動作について第１２図に基づいて説明する。
まず始めに、姿勢変更切替手段１である連動ロッド８４の空孔部８５ａ，８６ａにピン８７を挿通した状態での動作について説明する。
まず、（ａ）図に示すベッド状態では、駆動手段４は最も伸長した状態であり、ベースフレーム２に対して摺動フレーム３が最も前方に移動した状態となっている。この状態では、腰受ボトム５は、該腰受ボトム５に設けた調整具７４，７４がベースフレーム２に設けた支持プレート３０，３０に当接しており、床面に対して略水平な状態で保持されている。また、背受ボトム７もベースフレーム２に具備された支持具３４，３４に当接しており水平な状態で保持されている。そして、背受ボトム７に固着されている回動リンク５６が前方上方に回動した状態となっており、これにより増幅リンク５５も前方上方に回動された状態となっている。そのため、収納手段８の連動ロッド８４が前方に押し出された状態となり、スライドフレーム８３が最前方に押し出されている。この状態では、脚受ボトム９の収納カム８２，８２がベースフレーム２のローラー２１，２１に乗り上げた状態で保持されており、脚受ボトム９を水平な状態で保持している。このように、駆動手段４が伸長している状態では、背受ボトム７と腰受ボトム５及び脚受ボトム９が互いに略同一平面を形成する状態となっており、それぞれのボトム５，７，９の上面に載置されるマットレス（図示省略）上では、通常の仰臥姿勢がとれるようになっている。
【手続補正９】
【補正対象書類名】明細書
【補正対象項目名】００３０
【補正方法】変更
【補正の内容】
【００３０】
上述したように当該ベッドＢは動作され、駆動手段４を伸縮動作することで、各ボトム５，７，９が水平状態となる（ａ）図に示すベッド状態から、背受ボトム７が背上げされるとともに脚受ボトム９が腰受ボトム５下方に収納された（ｃ）図に示す椅子状態へと各ボトム５，７，９を動作させることができる。また、背受ボトム７の背上げに伴って、腰受ボトム５は上方回動するので、当該ベッドＢに仰臥している人が前方へずれることを防ぐことができる。
【手続補正１０】
【補正対象書類名】明細書
【補正対象項目名】００３１
【補正方法】変更
【補正の内容】
【００３１】
また、第１３図に示すように、脚受ボトム９を際前部に位置させた状態（第１２図（ａ）に示す状態）で姿勢変更切替手段１である連動ロッド８４のピン８７を連動ロッド８４から抜き、スライドフレーム８３のレール８８，８８に設けた空孔部８８ａ，８８ａの何れか一方に挿し込むと、連動ロッド８４は伸縮自在な状態となるとともに、スライドフレーム８３に挿通したピン８７がベースフレーム２のローラー１９に当接した状態となり、スライドフレーム８３は固定された状態となる。したがって、第１３図に示すように背受ボトム７と腰受ボトム５が起伏動作を行っている状態であっても、腰受ボトム９はその状態を保持しており、一般的な介護ベッドと同様に、脚を伸ばした座位姿勢がとれるようになる。
【手続補正１１】
【補正対象書類名】明細書
【補正対象項目名】００３２
【補正方法】変更
【補正の内容】
【００３２】
このように、当該ベッドＢは、ベッドＢ上において快適に過ごすことができるように起伏機構６が設けられるとともに、脚受ボトム９を腰受ボトム５下方に収納させる収納手段８が設けられており、水平な状態と椅子状の状態とに各ボトム５，７，９を作動させることができるように構成されている。
さらに、立ち上がり易い椅子状の状態と、脚を伸ばした座位がとれるように姿勢変更切替手段１が設けられている。そして、この姿勢変更切替手段１の切替方法も脚受ボトム９を最前部に移動させた状態でピン８７を連動ロッド８４の空孔部８５ａ，８６ａあるいはスライドフレーム８３の空孔部８８ａ，８８ａの何れかに挿し込むだけであるので簡単に切替できる。
そのため、加齢による運動能力の低下等によってベッドＢから立ち上がりが困難な方であっても、身体の向きを変えることなく、ベッドＢを椅子状態に変形させることで、至便に腰掛け姿勢をとることができるとともに、その状態からベッドＢ前方の開放空間を利用してベッドＢ前方へと立ち上がることができる。
そして、立ち上がることよりも療養を中心とする場合には、上述したように、スライドフレーム８３を固定して、脚受ボトム９はそのままとして、背受ボトム７と腰受ボトム５の起伏動作を行うことで、より快適な療養をすることもできる。
このような効果を有するベッドＢとすることによって、一般の家庭における在宅介護の場面においても、有効に活用することができる。
【手続補正１２】
【補正対象書類名】明細書
【補正対象項目名】００３４
【補正方法】変更
【補正の内容】
【００３４】
１    姿勢変更切替手段
２    ベースフレーム
３    摺動フレーム
４    駆動手段
５    腰受ボトム
６    起伏機構
７    背受ボトム
８    収納手段
９    脚受ボトム
８４  連動ロッド
８５  内側パイプ
８６  外側パイプ
８７  ピン